(57)【要約】  空気流を受け、身体支持クッションの所定の領域内の通過を許容する層状の発泡体を備える身体支持クッションが提供される。加えて、身体支持クッションからの空気移動を可能とし、クッション使用者の通気性を向上させるスペーサ布を含むカバーが提供される。
2021528188.tif 000002
【特許請求の範囲】
【請求項１】
通気システムを有する身体支持クッションであって、
少なくとも固定された基礎部と、少なくとも固定されたデッキ部分を有する基礎部と、
前記固定された基礎部または前記固定されたデッキ部分のいずれか一方に配置された空気移動器と、を含み、
前記空気移動器が入口と出口とを有し、
前記身体支持クッションはまた、
第一の端部が前記空気移動器の出口と流体連通し、第二の端部がマットレスと流体連通する導管、を含み、
前記マットレスは、
波形発泡体で形成された下部支持層と、
前記下部支持層の上に配置された空気分配アセンブリと、を有し、
前記空気分配アセンブリは、空洞と、エンベロープ材料を含み、
前記マットレスはまた、
前記空洞内に配置された網状発泡体と、
前記空気分配アセンブリの上に配置された快適層と、を有し、
前記網状発泡体は、前記導管から空気を受け取り、前記空気を前記快適層の第一の複数の孔に分配し、前記第一の複数の孔から身体支持発泡体層の第二の複数の孔を通って前記身体支持発泡体層の上面に分配する、
身体支持クッション。
【請求項２】
前記第一の複数の孔の少なくとも一部は、前記第二の複数の孔の少なくとも一部と整列する、請求項１に記載の身体支持クッション。
【請求項３】
前記第一の複数の孔または前記第二の複数の孔のうちの少なくとも１つは、前記マットレスの頭部端と足部端との間で密度が変化する、請求項２に記載の身体支持クッション。
【請求項４】
前記複数の孔は、実質的に垂直である、請求項１に記載の身体支持クッション。
【請求項５】
前記複数の孔は、垂直方向に対して相対的に角度を有する、請求項１に記載の身体支持クッション。
【請求項６】
前記空洞は、第一の空洞および第二の空洞である、請求項１に記載の身体支持クッション。
【請求項７】
前記空洞の上方に配置されるエンベロープ材料をさらに含む、請求項１に記載の身体支持クッション。
【請求項８】
前記空洞が長方形である、請求項１に記載の身体支持クッション。
【請求項９】
前記空洞が導管接続孔を有する、請求項１に記載の身体支持クッション。
【請求項１０】
前記空洞は、前記空気分配アセンブリ内に空気流のための境界を画定する、請求項１に記載の身体支持クッション。
【請求項１１】
前記マットレスは、可撓性であり、可動デッキ部分の調整によって移動可能である、請求項１に記載の身体支持クッション。
【請求項１２】
前記導管が前記固定されたデッキ部分を通過する、請求項１に記載の身体支持クッション。
【請求項１３】
空気流はフィルタリングされてもよく、アロマセラピーを提供してもよい、請求項１に記載の身体支持クッション。
【請求項１４】
トップパネルと、スペーサ布を有するインナーパネルとを含むカバーをさらに含む、請求項１に記載の身体支持クッション。
【請求項１５】
前記スペーサ布は、前記トップパネルに当接して配置される、請求項１４に記載の身体支持クッション。
【請求項１６】
前記スペーサ布は、三次元クロス構造を有する双方向延伸性の布で形成される、請求項１４に記載の身体支持クッション。
【請求項１７】
前記空気移動器と流体連通し、アロマセラピーを提供するカートリッジを含む、請求項１に記載の身体支持クッション。
【請求項１８】
前記デッキの可動部分をさらに含み、その基礎部は調節可能である、請求項１に記載の身体支持クッション。
【請求項１９】
前記導管が可撓性である、請求項１に記載の身体支持クッション。
【請求項２０】
通気システムを有する身体支持クッションであって、
波形発泡体で形成される下部支持層を有するマットレスと、
前記下部支持層の上に配置される空気分配アセンブリと、を含み、
前記空気分配アセンブリが、空洞と、前記空洞内に配置されるエンベロープ材料とを含み、
網状発泡体が、前記エンベロープ材料の上の前記空洞内に配置され、
少なくとも１つの発泡体層が、前記空気分配アセンブリの上に配置され、
前記網状発泡体は、導管からと、前記エンベロープ材料の孔からの空気を受け取り、前記空気を前記少なくとも１つの発泡体層の複数の孔に分配する、
身体支持クッション。
【請求項２１】
通気性のある身体支持クッションのためのカバーであって、
上層の超高分子量ポリエチレン、および前記上層に編み込まれる下層の耐火性紡績糸を有するトップパネルと、
前記トップパネルの下に配置され、インナーパネルを有する境界部とを含み、
前記インナーパネルは、双方向延伸性のスペーサ布を含み、
前記スペーサ布は、三次元クロス構造をさらに含み、
前記スペーサ布は、乾燥熱抵抗を減少させることにより通気性を向上させる、
カバー。
【請求項２２】
前記上層に耐火性の外用剤をさらに含む、請求項２１に記載のカバー。
【請求項２３】
前記耐火性紡績糸は、モダクリル系紡績糸である、請求項２１に記載のカバー。
【請求項２４】
前記トップパネルを前記境界部に取り付けるためのファスナをさらに含む、請求項２１に記載のカバー。
【請求項２５】
前記スペーサ布が、第一の上層と第二の下層、及びその間に前記三次元クロス構造を有する、請求項２１に記載のカバー。
【発明の詳細な説明】
【優先権の主張】
【０００１】
本出願は、２０１８年６月２９日に出願され、その全体がここに参照され援用される「Ｂｏｄｙ  Ｓｕｐｐｏｒｔ  Ｃｕｓｈｉｏｎ  ｗｉｔｈ  Ｖｅｎｔｉｌａｔｉｏｎ  Ｓｙｓｔｅｍ」と題する米国特許出願第１６／０２３、３６４号に基づく優先権を主張する。
【技術分野】
【０００２】
本実施形態は、通気システムを備える身体支持クッションに関する。より具体的に、しかし限定的ではなく述べると、本実施形態は、身体支持クッションの発泡体層（ｆｏａｍ  ｌａｙｅｒ）を通して流体連通する通気システムを備える身体支持クッションに関する。
【背景技術】
【０００３】
研究によると、睡眠には理想的な温度があるようであり、この温度が非常に高いと、眠りにつくまでに時間がかかり、一旦眠りにつくと、それが中断したり、断片化されたりする可能性がある。この問題は夏期の月間に悪化し、人々は必要な睡眠を失い、翌日のパフォーマンスの低下と長期的に潜在的健康リスクにつながる。
【０００４】
研究は、温度変化が回避されると、人々はよりよく睡眠ができ、休養したと感じ、翌日は活力が戻る。
【０００５】
通常高温で就寝し、睡眠がマットレス内の過剰な熱貯蔵により継続的に中断する消費者に、提供することが望ましい。
【０００６】
ベッドアセンブリに、快適睡眠の向上した機能を提供する必要がある。したがって、ベッド又はその他のクッション装置に通気を提供することが望ましいかもしれない。
【０００７】
本明細書の、この背景技術のセクションに含まれる情報は、ここで引用されるあらゆる参考文献又は説明も含めて、技術的な参照目的のみで含まれており、本発明の範囲を限定する主題であると考えられるべきではない。
【発明の概要】
【０００８】
本出願は、添付の特許請求の範囲に記載された１つ１つ又はそれ以上の特徴及び／又は以下の特徴を開示しており、これらは単独で、または任意の組み合わせで、特許可能な主題を構成することができる。
【０００９】
本実施形態では、中を通過する通気空気の流れを可能にする発泡体で形成されたマットレスが提供される。マットレスは、複数の発泡体層から形成されていてもよく、その下面を介して入力される空気を受けてもよい。マットレスは、入力された空気を広げるが、空気が上層およびその上面の穴を通って上方に移動するように空気の流れを拘束する発泡体層アセンブリを提供する。穴は、通気ゾーン内に配置されてもよく、そのような穴の密度は、ゾーン内で変化してもよく、またはゾーン内で一貫していてもよい。
【００１０】
いくつかの実施形態によれば、
通気システムを有する身体支持クッションは、
少なくとも固定された基礎部と、少なくとも固定されたデッキ部分を有するデッキとを有する調節可能な基礎部と、
固定された基礎部または固定されたデッキ部分のいずれか一方に配置された空気移動器と、を含み、
空気移動器が入口と出口とを有し、
身体支持クッションはまた、
第一の端部が空気移動器の出口と流体連通し、第二の端部がマットレスと流体連通する導管を含み、
マットレスは、
波形発泡体（ｃｏｎｖｏｌｕｔｅｄ  ｆｏａｍ）で形成された下部支持層と、
下部支持層の上に配置された空気分配アセンブリと、を有してもよく、
空気分配アセンブリは、空洞と、エンベロープ材料を含み、
マットレスはまた、
空洞内に配置された網状発泡体（ｒｅｔｉｃｕｌａｔｅｄ  ｆｏａｍ）と、
空気分配アセンブリの上に配置された快適層（ｃｏｍｆｏｒｔ  ｌａｙｅｒ）と、を有してもよく、
網状発泡体は、導管から空気を受け取り、空気を快適層の第一の複数の孔（ａｐｅｒｔｕｒｅ）に分配し、第一の複数の孔から身体支持発泡体層の第二の複数の孔を通って身体支持発泡体層の上面に分配することを特徴とする。
【００１１】
以下の任意の実施形態は、前述の実施形態と単独で、または他の実施形態と前記実施形態との組み合わせで利用することができる。第一の複数の孔の少なくとも一部は、前述の第二の複数の孔の少なくとも一部と整列する。さらに、第一の複数の孔または第二の複数の孔のうちの少なくとも１つは、マットレスの頭部端と足部端との間で密度が変化する。前記複数の孔は、実質的に垂直であってもよいし、垂直方向に対して相対的に角度を有してもよい。前記空洞は、第一の空洞および第二の空洞であってもよい。身体支持クッションは、空洞の上方に配置されるエンベロープ材料をさらに含んでもよい。空洞は、長方形であってもよい。空洞は、導管接続孔を有してもよい。空洞は、空気分配アセンブリ内に空気の流れのための境界を画定してもよい。マットレスは、可撓性でもよく、可動デッキ部分の調整によって移動可能であってもよい。導管は、固定デッキ部分を通過してもよい。空気流はフィルタリングされてもよく、さらにアロマセラピーを提供できてもよい。身体支持クッションはさらに、トップパネルと、スペーサ布（ｓｐａｃｅｒ  ｆａｂｒｉｃ）を有するインナーパネルとを含むカバーを含んでもよい。スペーサ布は、トップパネルに当接して配置されてもよい。スペーサ布は、三次元的クロス構造を有する双方向延伸性の布（ｂｉｄｉｒｅｃｔｉｏｎａｌ  ｓｔｒｅｔｃｈ  ｆａｂｒｉｃ）で形成されていてもよい。身体支持クッションは、さらに、空気移動器と流体連通し、アロマセラピーを提供するカートリッジを含んでいてもよい。身体支持クッションはさらに、デッキの可動部分を含んでもよく、その基礎部は調節可能である。
【００１２】
いくつかの実施形態によれば、通気システムを有する身体支持クッションは、波形発泡体で形成される下部支持層と、下部支持層の上に配置される空気分配アセンブリとを有するマットレスを含んでもよい。空気分配アセンブリは、空洞と、空洞内に配置されるエンベロープ材料とを含んでもよい。網状発泡体は、エンベロープ材料上の空洞内に配置されてもよい。少なくとも１つの発泡体層が、空気分配層の上に配置されてもよい。網状発泡体は、導管からと、エンベロープ材料に設けられた孔からとの空気を受け取り、空気を少なくとも１つの発泡体層の複数の孔に分配する。
【００１３】
いくつかの実施形態によれば、通気性のある身体支持クッションのためのカバーは、上層の超高分子量ポリエチレンと、上層に編み込まれる下層の耐火性紡績糸（ｙａｒｎ）とを有するトップパネルと、トップパネルの下に配置され、インナーパネルを有する境界部（ｂｏｒｄｅｒ）とを含み、インナーパネルは、双方向延伸性スペーサ布を含み、スペーサ布は、三次元クロス構造をさらに含み、スペーサ布は、乾燥熱抵抗（ＤＴＲ：ｄｒｙ  ｔｈｅｒｍａｌ  ｒｅｓｉｓｔａｎｃｅ）を減少させることにより通気性を向上させる。
【００１４】
以下の任意の実施形態は、前述の実施形態と単独で、または他の実施形態と前述の実施形態との組み合わせで利用することができる。カバーはさらに、上層に耐火性の外用剤（ｔｏｐｉｃａｌ  ｃｈｅｍｉｓｔｒｙ）を含んでもよい。耐火性紡績糸は、モダクリル系紡績糸（ｍｏｄａｃｒｙｌｉｃ  ｙａｒｎ）であってもよい。カバーは、トップパネルを境界部に取り付けるためのファスナをさらに含んでもよい。スペーサ布は、第一の上層と第二の下層とを有してもよく、その間に前記三次元クロス構造を有してもよい。
【００１５】
本概要は、以下の詳細な説明にさらに記載されている概念の一選択肢を簡略化した形で紹介するために提供される。本要約は、請求される主題の主要な特徴または本質的な特徴を特定することを意図したものではなく、また、請求される主題の範囲を限定するために使用されることを意図したものでもない。上記の概説された特徴のすべては、例示的なもののみとして理解されるべきであり、様々な実施形態のより多くの特徴および目的は、本明細書の開示から収集できてもよい。したがって、本要約のいかなる限定的な解釈も、本明細書に含まれる明細書、特許請求の範囲および図面の全体をさらに読むことなく理解されるべきではない。本発明の特徴、詳細、ユーティリティ、および利点のより広範な提示は、添付の図面に図示され、添付の特許請求の範囲に定義されている本発明の様々な実施形態の以下の書面による説明において提供される。
【図面の簡単な説明】
【００１６】
実施形態がより良く理解されるように、通気システムを有する身体支持クッションの実施形態を、ここから例示によって説明する。通気システムを備えた身体サポートクッションの他の実施形態が、本説明を読むと、当業者には明らかになるため、これらの実施形態は、特許請求の範囲を制限するものではない。本実施形態の非限定的な例が図示される。
【００１７】
【図１】図１は、マットレス及び基礎部を含むベッドアセンブリの斜視図である。
【図２】図２は、ベッドアセンブリの分解斜視図である。
【図３】図３は、マットレスの分解斜視図である。
【図４】図４は、空気分配アセンブリの分解断面詳細図である。
【図５】図５は、マットレスの断面図である。
【図６】図６は、基礎部上の空気移動器の下側斜視図である。
【図７】図７は、基礎部上の空気移動器の側面図である。
【図８】図８は、ファンアセンブリの側面断面詳細図である。
【図９】図９は、ベッドアセンブリの通気に利用されるシステムの模式図である。
【図１０】図１０は、いくつかの実施形態に係るマットレスカバーの分解図である。
【発明を実施するための形態】
【００１８】
通気システムを備えた身体支持クッションは、以下の説明に記載される、または図面に図示される構成要素の詳細な構造および配置の適用に限定されるものではないことが理解されるべきである。記載された実施形態は、他の実施形態が可能であり、様々な方法で利用、または実施されることが可能である。また、本明細書で使用される表現および用語は、説明の目的のためであり、限定的とみなされるべきではないことが理解されるべきである。本明細書で使用される「含む」、「から成る」、または「有する」の使用およびその変形は、その後に記載された項目およびその等価物、ならびに追加の項目を包含することを意図している。他に限定されない限り、本明細書では、「接続される」、「結合される」、および「取り付けられる」という用語、およびそのバリエーションは、広範に使用され、直接的および間接的な接続、結合、および取り付けを包含する。さらに、「接続されている」および「結合されている」という用語およびその変形は、物理的または機械的な接続または結合に限定されない。
【００１９】
ここで図１〜１０を参照すると、本ベッドアセンブリは、マットレスを非限定的な例とするような身体支持クッションを通る通気を提供する。このベッドアセンブリは、ベッド内の温度変動を防止し、顧客を一晩中一定の体温に保つ能動的な通気を使用する。それは、環境から周囲の空気を引き込み、気づかれずにそれが消費者の身体に到達するまでマットレスを介して押すことによって機能する。その軌跡の間、空気はフィルタリングされることが可能性であり、入ってくる空気から細菌、花粉、ヒョウヒダニ（ｈｏｕｓｅ  ｄｕｓｔ  ｍｉｔｅ）の分泌物を除去できる。マットレスの中に新鮮な空気を継続的に流すことで、マットレスの表面温度と微小気候（ｍｉｃｒｏｃｌｉｍａｔｅ）の相対湿度が一晩中一定に保たれ、それは、熱の蓄積や望ましくない湿度が発生しないことを意味する。温度の変動が防止されると、人々はよりよく眠り、翌日にはより休息して元気になったと感じることが研究により示されている。さらに、いくつかの実施形態において、空気は、使用者の睡眠プロファイルに基づいて理想的な温度に調整（冷却または加熱）されてもよく、温度制御された空気の流れをベッド内に連続的に向けることにより、マットレスは、新鮮さを保持し、最適に乾燥した衛生的な状態を維持する。
【００２０】
ここで図１を参照すると、ベッドアセンブリ１０の斜視図が描かれている。ベッドアセンブリ１０は、マットレス１２と基礎部１４を含む。この実施形態全体を通してマットレス１２が描かれているが、当業者であれば、マットレスは、単に身体支持クッションの１種であり、他の身体支持クッション構造が、本開示の範囲内で利用され得ることを認識できる。したがって、特許請求の範囲は、マットレスに限定されるべきではなく、他の構造物も含み得る。
【００２１】
いくつかの実施形態では、マットレス１２は、発泡体層で形成されてもよい。しかし、他の実施形態では、マットレス１２はまた、発泡体と組み合わせてスプリングを組み込んでもよい。さらに、マットレス１２は、図示のように、常に水平な位置にあるものでもよく、また、基礎部が可動であることを許容するように形成されてもよい。
【００２２】
基礎部１４は、ベッドアセンブリ１０の位置とマットレス１２の位置とが調整できないような固定基礎部であってもよいし、代替的に、基礎部１４は、マットレス１２が読書位置や他の立った位置などの代替位置に移動可能であるような調整可能なものであってもよく、これは、例えば、テレビを見るために、あるいは、ユーザがベッドアセンブリ１０を使用したいが、必ずしも寝たいわけではない時間帯に、好ましいかもしれない。
【００２３】
基礎部１４は、少なくとも１つのフレームまたはベース１８が配置される複数の脚部１６を含んでもよい。脚部１６は、それぞれ単一の構造であってもよいし、基礎部１４およびベッドアセンブリ１０全体の高さを変化させることを可能にし得るように、複数の構造から形成されてもよい。フレーム１８は、複数の包囲部材１９と、包囲部材１９の間に延びる１つ以上の支持部材２１（図６）とによって画定されてもよい。加えて、デッキ２４（図２）がフレーム１８上に配置されてもよい。デッキ２４は、図示されているように、デッキ２４上に配置されるマットレス１２のための支持面を提供する。デッキ２４は、固定されていてもよいし、マットレスの位置の調整を可能にするために固定部分および可動部分を有していてもよい。これらの部分は、図６に示されていてもよい。
【００２４】
マットレス１２は、発泡体の複数の層１３によって画定される。発泡体層１３は、本明細書でさらに説明するが、フレーム１８またはデッキ２４上に配置される空気移動器からの通気空気の移動を可能にする。通気空気は、フレーム１８上に配置されるファンまたはポンプなどの空気移動器から移動する。空気移動器は、固定された位置にあってもよいし、基礎部と一緒に移動してもよく、発泡体層１３を通って、マットレス１２を通る流体連通を可能にする複数の孔を介して、空気を上に向ける。従って、マットレス１２の上面に通気空気が供給され、それにより、熱の蓄積及び望ましくない湿度を抑制するための通気が可能となり、使用者により良い睡眠を提供する。
【００２５】
次に図２を参照すると、図１のベッドアセンブリ１０の分解斜視図が描かれている。マットレス１２は、フレーム１８およびデッキ２４からなる基礎部１４から分解されて、デッキ２４の上面を描写するように示されている。加えて、２つのファンアセンブリ３４がフレーム１８の下から分解されて示されている。ベッドアセンブリ１０は、概して右側に位置するベッドの頭部端２６と、概して図示の左側に位置する足部端２８とを含む。頭部端２６および足部端２８は、その間に、ベッドアセンブリ１０の長手方向ＬOを概略的に規定しているが、これは、単に説明を容易にするために参照されるものであり、限定的ではない。ベッドアセンブリ１０の長手方向ＬOに垂直な方向には、マットレス１２の側面の間に延びる横方向ＬAがある。縦方向および横方向は、ＬOおよびＬAとマークされた線で概して描かれている。繰り返すと、これらの方向は、本開示全体を通して方向を参照する際の説明を容易にするために提供されているに過ぎず、限定的であると考えられるべきではない。
【００２６】
デッキ２４から延びているのは、マットレスリテーナ３０である。リテーナ３０は、ベッドアセンブリ１０の足部端２８の近くでデッキ２４の上面から延びて示されている。これは、デッキ２４およびマットレス１２が調整されることを意図しており、したがって、マットレス１２がデッキ２４から滑り落ちるのを防止したい場合に好ましい。マットレスリテーナ３０は、足部端２８に示されており、概してデッキ２４の中央に配置されているが、代替的に他の位置に配置されてもよい。
【００２７】
デッキ２４はまた、そこに配置された第一及び第二の導管孔３２を備えて示されている。導管孔３２は、デッキ２４の下からデッキ２４を通って上方に移動する通気空気を提供するデッキ２４の上面を通る導管７４の上方への通過を可能にし、またマットレス１２との流体連通を可能にする。導管７４は、デッキが移動可能でない場合には可撓性であってもよく、または代わりに、デッキが移動可能な部分を含む場所において可撓性であってもよい。いくつかの実施形態において、導管は、剛性部分と可撓性部分との組み合わせによって画定されてもよい。
【００２８】
ここで図３を参照すると、マットレス１２は、通気性を提供するために使用される発泡体および材料の様々な層を描写するために、分解された斜視図で示されている。層の底部から出発して、下部支持層が提供されており、波形発泡体１２２で形成されてもよいことが描写されている。波形発泡体１２２は、エッグクレート（ｅｇｇ  ｃｒａｔｅ）発泡体と呼ばれることもあり、マットレス層の残りの部分の基礎を提供する。
【００２９】
波形発泡体１２２は、底部ハイマックス（ｈｙｍａｘ）層であってもよい。波形発泡体１２２は、複数の湾曲した、または角張った形状によって定義されてもよい非平面的な上面を提供する。用語「発泡体」とは、例えば、一貫したセル構造を生成するために製造中にガス気泡を導入することから生じる、軽量セル形態の材料、及び／又は様々な軽量、多孔質、半硬質またはスポンジ状の材料またはセル状固体のいずれか、通常はガス気泡に満ちた液体の凝固形態を意味しており、建築材料として、または衝撃吸収のために使用されてもよく、ポリウレタン発泡体、ラテックス、メモリ発泡体、特殊メモリ発泡体、ゲルメモリ発泡体、ゲルラテックス発泡体、ゲル注入発泡体、マルチゲル発泡体、高熱伝導性発泡体、または他のゲル発泡体などのオープンセル発泡体を含んでもよい。構成コア層は、発泡体コア、ゲル発泡体コア、ラテックスコア、インナースプリング層、個別に包装されたまたは包まれたコイルの層、膨らませた空気系、または例えば水などを含む液体系、を含むがこれらに限定されない、任意のマットレスコア構造であってもよい。いくつかの実施形態によれば、波形発泡体１２２は、オープンセル化された非網目状粘弾性発泡体（ｎｏｎ−ｒｅｔｉｃｕｌａｔｅｄ  ｖｉｓｃｏ−ｅｌａｓｔｉｃ  ｆｏａｍ）であってもよい。いくつかの実施形態では、網目状の非粘弾性発泡体の波形発泡体１２２が、使用者の身体を支持する際に上部層によって経験される温度に実質的に依存しない（すなわち、使用者の体温に依存しない）ある程度の支持を提供することができることが望ましい。したがって、波形発泡体１２２は、約１０℃〜約３５℃の範囲内の温度変化に対して実質的に鈍感である網状の非粘弾性発泡体を含んでもよい。本明細書で使用されるにあたり、温度変化に対して「実質的に鈍感」である、という表現は、材料が、１０℃〜３０℃の温度範囲を通してＩＳＯ規格３３８６によって測定された１０％未満の硬度の変化を示す場合をいう。他の温度範囲も使用可能であり、したがって、温度範囲は例示的なものであり、限定的なものではないと考えられるべきである。いくつかの実施形態において、底層１１２は、約２０ｋｇ／ｍ3以上、約８０ｋｇ／ｍ3以下の密度を有する。他の実施形態では、少なくとも約２５ｋｇ／ｍ3以上、かつ約６０ｋｇ／ｍ3以下の密度を有する底層１１２が利用される。さらに他の実施形態では、少なくとも約３０ｋｇ／ｍ3以上、かつ約４０ｋｇ／ｍ3以下の密度を有する底層１１２が利用される。
【００３０】
波形発泡体層１２２の上には、空気分配アセンブリ１２４が配置されている。空気分配アセンブリ１２４は、波形発泡体１２２上に配置され、空洞１２８を含む平坦な発泡体層１２６を含む。ここでも、発泡体層１２６は、先に説明したタイプのいずれであってもよい。いくつかの実施形態において、層１２６は、個々のセルの壁が実質的に不変である柔軟な粘弾性ポリウレタン発泡体のセル構造を含んでもよい。いくつかの実施形態において、最下層１２２は、網状発泡体を含む場合、最下層１１２の発泡体のセル構造に少なくとも部分的に起因して、高い層の熱を低減することができる。空洞１２８は、空洞１２８に入る空気の流れが意図しない方向に排出するのを防ぐエンベロープ材料１３０を含んでもよい。言い換えれば、エンベロープ材料１３０は、空洞１２８内の空気の流れを制御し、空気の流れを所望の方向に向けるために、流れの境界を画定する。エンベロープ材料１３０は、熱プレスされたＴＰＵで形成されてもよい。いくつかの非限定的な実施形態において、エンベロープ材料は、ポリエステル、ＴＰＵ、およびポリエステルの多層材料であってもよい。より具体的かつ非限定的には、多層材料は、７５ｇｓｍのポリエステル編物布の第一の層、ＴＰＵの第二の層、およびポリエステル編物布の第三の層から構成されてもよい。これらの層は、溶融、溶接、縫製、接着剤による接着、またはこれらのいずれかの他の形態または組み合わせを含む様々な非限定的な方法で一緒に接着されてもよい。しかし、これらの接合方法は、限定的であると考えられるべきではない。例示的な、非限定的なポリ編物エンベロープ材料１３０は、カリフォルニア州バーリンガムのＳｔａｎｄａｒｄ  Ｆｉｂｅｒ、ＬＬＣから市販されていてもよい。
【００３１】
空気分配アセンブリ１２４は、空洞１２８の上に配置され、空気分配材料１３４をさらに含む。空気分配材料１３４は、組み立て時に空洞１２８内に配置され、空気の流れが空洞１２８内の材料１３４を通って、空洞１２８内から上方の発泡体層に向かって、概して水平方向および上方に移動することを可能にする網状発泡体または他の多孔質材料であってもよい。空気分配材料１３４は、空気の流れが空洞１２８内に広がることを可能にし、空気の流れが空洞領域を越えて外方に、例えば水平方向に、平坦な発泡体層１２６を通って移動することを防止するエンベロープ材料１３０を境界とする。
【００３２】
空気分配アセンブリ１２４は、空気分配材料１３４の上に、及び平坦な発泡体層１２６の上に配置され、さらに、いくつかの実施形態では発泡体エンベロープ層１３８であってもよい少なくとも１つの層を含む。発泡体エンベロープ層１３８は、先に説明した例のいずれかを含む発泡体材料を含み、下面に沿って、任意に、追加のエンベロープ材料１３９を含んでもよい。いくつかの実施形態において、発泡体エンベロープ層１３８は、個々のセルの壁が実質的に不変である柔軟な粘弾性ポリウレタン発泡体のセル構造を含んでもよい。いくつかの任意の実施形態では、発泡体エンベロープ層１３８の底部のエンベロープ材料１３９は、空気分配材料１３４から特定の方向への空気の流れを制限する。追加のエンベロープ材料１３９は、熱プレスされたＴＰＵ及び／又は前に説明したように多層プレスされた材料で形成されてもよい。この材料１３９は、例えば、ポリ編物またはエンベロープ材料１３０を説明したものと同じであってもよい。いくつかの実施形態では、発泡体エンベロープ層１３８は、追加のエンベロープ材料１３９を必要とすることなく、空気の流れを効果的に限定または制限するのに十分に高い密度値を有してもよい。いずれの配置においても、空気流は、例えば以下の方法のような所望の方向に制限される。発泡体エンベロープ層１３８は、発泡体エンベロープ層１３８を通って、使用される場合にはその底面上の任意のエンベロープ材料１３９を通って、空気分配材料１３４と流体連通するように延びる複数の空気流孔１４０を含んでいてもよい。当業者であれば理解するように、発泡体エンベロープ層１３８が空気分配材料１３４を挟んで平坦層１２６の上に配置されると、空気は平坦層１２６を通って上方に移動し、空気分配材料１３４を通って空洞１２８内に広がる。空気は、任意のエンベロープ材料１３９の孔を通って上方移動を継続し、発泡体エンベロープ層１３８の孔１４０を通って移動する流れの方向が制限される。孔１４０は、すべて単一の大きさであってもよいし、直径が異なっていてもよい。また、孔１４０の密度は、使用者が配置され得るマットレスの領域に応じて異なってもよい。
【００３３】
発泡体エンベロープ層１３８の上に配置されているのは、身体支持発泡体層１４４である。身体支持発泡体層１４４は、発泡体エンベロープ層１３８によって画定されてもよいし、図示されているように、別個の異なる発泡体層によって画定されてもよい。身体支持層１４４は、層１３８の孔１４０と整列する複数の孔１５０を含む。身体支持層１４４、または層１４４と発泡体エンベロープ層１３８との組み合わせ、が快適層を画定してもよい。これにより、２つの層を通って身体支持層１４４の上面１４８への空気の上方移動が可能となる。複数の孔１５０は、様々な密度で示されている。これは、場所によって、他の場所に比べて単位表面積あたりの孔がより多く存在してもよいことを意味する。提供された例において、孔１５０の数は、胴体の領域では増加するが、ユーザの頭および足の領域では減少してもよい。他のバリエーションまたは間隔が利用されてもよく、例えば、孔１５０の密度は一貫していてもよい。さらに、当業者であれば、発泡体の２つの層が空気分配材料の上に配置されている場合、孔１５０は、発泡体の両方の層、例えば層１３８、１４４を通って延びることを理解する。さらに、孔１５０のサイズは、異なってもよいし、以前に説明したように、同じであってもよい。孔１５０は、マットレス１２の上面１４８（図２）における所望の流量、及び／又は孔１４０、１５０を通過するために必要な空気圧の量、及び／又は提供される孔の数、及び／又は空気移動器の流量および圧力のいずれかに基づいてサイズが決定されてもよいが、これらに限定されるものではない。
【００３４】
身体支持発泡体層１４４および発泡体エンベロープ層１３８は、比較的高反発性の柔軟なセルラー発泡体で形成されていてもよい。これらの発泡体は、提供された例と同じタイプの発泡体であってもよいし、異なるタイプの発泡体であってもよい。さらに、これらの発泡体は、柔軟性または剛性など、及びその他の特性において異なる特性を有していてもよい。空気の流れを誘導し、使用者に所望の感触を提供するために、いずれかの層または両方の層が使用されてもよい。
【００３５】
層は、当該技術分野で知られている任意の適切な手段によって固定されてもよい。層は、噴霧、射出成形、押出成形、共押出成形、ラミネート、その他の類似工程などで作られてもよい。いくつかの実施形態において、層の接着は、ステープル、タック、溶接、ラミネート、摩擦または締まりばめを利用した機械的な貼付、接着剤、のり、セメント、または接着性を有する他の材料を介した接着、ステッチ、マジックテープファスナ、ジッパ、デニス式タグ、スナップ、及び／又は他の可逆的な手段を介した貼付、およびそれらの組み合わせによるものであってもよい。本実施形態の目的のために、様々な層は、のり、セメント、および接着性を有する他の材料を含む接着剤で接合されてもよい。別の実施形態では、層が接着剤をさらに含んでもよい。いくつかの実施形態において、接着剤は、層間の界面に配置されてもよい。本開示で使用され得る接着剤は、当該技術分野で知られている任意の接着性材料またはファスナを含む。接着剤の具体例として、ホットメルト接着剤、水性接着剤、および感圧性接着剤、耐火性接着剤、およびそれらの混合物が含まれる。さらに、層及び／又は接着剤は、シリカ、金属層、アクリル、モダクリル、ポリオレフィン、ラテックス、ポリウレタン、およびそれらの組み合わせ及び／又は混合物などのプラスチックをさらに含んでもよい。加えて、層は、当技術分野で知られているように、殺生物剤（ｂｉｏｃｉｄｅｓ）、防腐剤、臭気遮断剤（ｏｄｏｒ  ｂｌｏｃｋｉｎｇ  ａｇｅｎｔｓ）、香料、顔料、染料、染み防止剤、帯電防止剤、防汚剤、防水剤、湿気吸収剤（ｍｏｉｓｔｕｒｅ  ｗｉｃｋｉｎｇ  ａｇｅｎｔｓ）などをさらに含んでもよい。
【００３６】
ここで図４を参照すると、空気分配アセンブリ１２４の分解断面詳細図が、マットレス１２の他の層から離されて描かれている。この断面図は、組立途中の状態での部品の配置をより明確に描写している。空気分配部材１３４は、平坦な発泡体層１２６の空洞１２８から分解されている。この平らな発泡体層１２６内で、空洞１２８は、いくつかの例において、例えば空気分配材料１３４を画定するかもしれない網状発泡体の位置決めを可能にする。エンベロープ材料１３０も描かれており、空気流通材料１３４を通る方向以外の任意の方向への空気流の移動を制限する。空気流が空気分配材料１３４を通って移動すると、空気流は、マットレス１２の頭と足の端部２６、２８の間を水平方向に移動し、エンベロープ材料１３９を含んでも含まなくてもよい発泡体エンベロープ層１３８に向かって横方向に移動し、上方に移動する。一旦圧力が空洞１２８内に蓄積されると、空気はまた、孔１４０を通って移動し、続いて整列した孔１５０に向かって移動してもよい。
【００３７】
空気の流れは、エンベロープ材料１３９をその底面に沿って配置すること、および孔１４０が発泡体エンベロープ層１３８とエンベロープ材料１３９とを通って延びることを許容することによって制限され、層１３８を通るように向けられてもよい。エンベロープ材料１３９および空洞１２８内のエンベロープ材料１３０によって空気の流れが制限されている状態では、空気の流れの唯一の経路は、発泡体エンベロープ層１３８の複数の孔１４０を通るものである。孔は、本体支持層１４４上の孔１５０（図５）と整列する。
【００３８】
ここで図５を参照すると、マットレス１２を通る通気空気の流れの説明をさらに助けるために、マットレス１２の断面図が描かれている。マットレス１２は、先に説明した波形発泡体１２２の層と、平坦な発泡体層１２６と発泡体エンベロープ層１３８とを含む空気分配アセンブリ１２４と、空気分配アセンブリ１２４の上に設けられた身体支持層１４４とを含む。断面図に示されているように、波形発泡体層１２２に導管孔１６０が形成されている。導管孔１６０は、波形発泡体層１２２を通って空気分配アセンブリ１２４内に延び、導管１６２を通って移動する空気は導管１６２を通る。孔１６０は、平坦な発泡体層１２６内に延び、空気分配アセンブリ１２４の空気分配部材１３４への流体連通を提供する。図面に描かれているように、層１３８および１４４は、空気分配材料１３４と流体連通する複数の整列した空気流孔１４０、１５０を有し、いくつかの実施形態によれば、これは上の２つの層を通る孔１５０が整列して流体連通している網状発泡体であってもよく、空気は、使用者の周りに空気流を提供するために、身体支持層の上面１４８に移動する。孔１４０、１５０は、実質的に垂直方向に配置された状態で示されているが、同様に垂直方向に対してある角度を有して配置されてもよい。
【００３９】
導管１６２は、例えば、マットレス１２がいくつかの実施形態において調節可能であることに起因して、ある程度の屈曲を許容するために、ひだ付き管（ｃｏｒｒｕｇａｔｅｄ  ｔｕｂｉｎｇ）のような柔軟な材料を含んでもよい。しかし、導管は、マットレスおよび基礎部が動く際、周囲の発泡体が撓んだときに内側に押しつぶされないように十分な強度を表すべきである。導管１６２はまた、空気分配アセンブリ１２４の下端および上端に少なくとも１つのフランジ１６４、１６６を含んでもよい。フランジ１６４、１６６は、導管１６２を発泡体内位置に保持するように機能してもよい。フランジはまた、下端におけるファンアセンブリ３４の接続（図２）のための特定の位置を提供してもよい。フランジ１６４、１６６は、マットレス１２の１つ以上の層内で導管１６２を受けてもよい。本出願によれば、マットレス１２は、これらの導管アセンブリの１つ以上を含んでもよく、マットレス１２の１つ以上の領域に空気の流れが提供される。例えば、図１を参照して、導管１６０と流体連通している２つのファンアセンブリ３４および図２に示すような２つの導管７４を使用して、マットレス１２の２つの領域が通気空気の恩恵を受けてもよい。
【００４０】
ここで図６を参照すると、基礎部１４の下側斜視図が示されている。ベッドアセンブリ１０のフレーム１８の外側部材の間に延びる様々な支持部材２１が描かれている。フレーム１８への空気移動器の取り付けを描写するために下部斜視図が提供されている。導管孔３２はまた、導管がファンアセンブリ３４に接続されているときに、導管７４がデッキ２４を通って上のマットレス１２（ここで図示されている）に接続され得るように、デッキ２４を貫通して配置されて示されている。外側フレーム部材はまた、基礎部１４の外観を向上させるために、布及び／又はパッドを含んでもよい。フレーム１８は固定されており、デッキ２４は固定部分および可動部分を備えて示され、マットレスの位置または向きを調整するために可動部分はフレーム１８に対して相対的に移動する。いくつかの非限定的な実施形態によれば、ファンアセンブリ３４は、固定されたデッキ部分の下に示されている。
【００４１】
ここで図７を参照すると、基礎部１４の側面図が描かれ、ファンアセンブリ３４がデッキ２４を通して示されている。ファンアセンブリ３４は、空気移動器７２と、デッキ孔３２を通って延びて示されているコネクタ７６とを含む。デッキ孔３２は、孔であってもよく、及び／又は追加的に、デッキ２４の上面を通るクリーンな孔を提供するカラーによって定義されてもよい。空気移動器７２は、図示されているように、右側にある入口と、左側にある出口とを含んでもよく、空気は入口に引き込まれ、加速され、出口を通って押し出される。これらの位置は異なり得る。空気移動器７２はまた、ファンアセンブリ３４を通過する空気流から特定の汚染物質を除去するために、フィルタハウジングまたは他の空気清浄構造を含んでもよい。空気フィルタハウジングは、フィルタリングされた空気を出口および導管７４に供給するために、空気移動器７２の入口に配置されてもよい。
【００４２】
図８を参照すると、ファンアセンブリ３４の詳細な側面断面図が描かれている。空気フィルタハウジング７８に隣接して空気移動器７２が示されている。空気フィルタハウジング７８は、通気空気がフィルタ７８を通って空気移動器７２内に引き込まれる孔を定義している。空気移動器７２の左側には、コネクタ８０が設けられている。空気移動器７２の左側には、空気移動器出口コネクタ８０が設けられており、このコネクタ８０は、可撓性導管７４と接続されて流体連通を提供する。可撓性導管７４は、それを９０度の曲げ角度で曲げることを可能にするひだ付き材料であってもよい。可撓性導管７４は、水平な流路から垂直な流路へと曲がり、デッキ２４内のカラー７７を通過すると示されているコネクタ７６に追加的に接続される。上部コネクタ７６は、次に、マットレス１２を通って延びる導管アセンブリの下部フランジ１６４（図５）に追加的に接続される。これにより、空気取り入れ口および空気移動器７２を通る任意の空気フィルタ７８を通る空気の流れ、および可撓性導管を通る空気の流れがマットレス１２に届くようになる。マットレス１２内で、空気は、空気分配材料１３４の上の発泡体層１３８、１４４を通過する前に、空気分配アセンブリ１２４、具体的には空気分配材料１３４を通して分散される（図３）。
【００４３】
さらに、アロマセラピーカートリッジ及び／又はフィルタも利用されてもよい。例えば、非限定的な実施形態では、フィルタリングされた空気に心地よい香りを提供するために、アロマをフィルタ材料に加えてもよい。フィルタは、ファン、ポンプ、又はその類似物を含むアセンブリ内に配置されてもよいし、マットレスに向かってまたはマットレス内まで延びるダクト内に配置されてもよい。フィルタとアロマカートリッジは、点検保全や交換のために容易にアクセスできるようにすることが望ましいかもしれない。また、カートリッジは、空気移動器の吸引側（上流側）に配置されていてもよいし、加圧側（下流側）に配置されていてもよい。フィルタは、様々な範囲のフィルタリング能力を有していてもよく、花粉、粒子状物質及び／又はダニおよび関連物質を除去してもよい。
【００４４】
図９を参照すると、ベッドアセンブリ１０を換気するために利用されるシステムの概略図が示されている。模式図では、調節可能なベッド１０のための様々な他の点検修理設備（ｓｅｒｖｉｃｅ  ｆａｃｉｌｉｔｉｅｓ）に有線接続されるコントローラ２００が描かれている。コントローラ２００は、空気移動器７２に電力および制御信号を提供するために空気移動器７２に接続されている。加えて、コントローラ２００は、ベッドの頭部端またはベッドの足部端を上昇させるために、デッキ２４（図７）を動かすアクチュエータ２０４と通信してもよい。加えて、または代わりに、アクチュエータ２０４は、ベッドの足部分を動かすために使用されてもよい。さらに、ベッドアセンブリ１０の頭部端および足部端の両方を動かすために、２つのアクチュエータ２０４が図示のように利用されてもよい。電源２０６が、コントローラ２００に電気的に接続されて示されている。電源２０６は、いくつかの実施形態によれば、空気移動器７２の直流ファンまたはアクチュエータ２０４に電力を供給するために、電力を直流に変換する交流電源であってもよい。加えて、コントローラ２００は１つまたは複数のＵＳＢ充電器２０８を提供してもよく、スマートフォン、スマートパッド、または他の電気デバイスが、ユーザが寝ている間に、または代替的に、ユーザがベッドにおり、例えば読書または音楽を聴いている間に充電されてもよい。
【００４５】
任意で、ベッドアセンブリは、コントローラ２００と電気的に接続されている振動器モータ２１０を含んでもよい。振動モータ２１０は、ベッドアセンブリ１０にマッサージ機能を提供してもよい。いくつかの実施形態によれば、振動モータ２１０は、ベッドの長手方向軸ＬO（図２）に対して２つの側面に配置されてもよい。さらに、振動モータ２１０は、一緒に動作してもよいし、個別に制御されてもよい。２つのモータ２１０が図示されているが、ベッドアセンブリは、追加のゾーンに分割され、少なくとも１つの振動モータが各ゾーンに設けられてもよい。振動モータ２１０は、オン／オフ機能の単純な方法で制御されてもよく、又は加えて、可変速で、異なる大きさの振動およびマッサージ機能を提供してもよい。
【００４６】
ベッド下照明２１２などのオプション機能が提供されてもよく、使用のために電源供給されてもよい。多数のオプション機能が提供されてもよく、本明細書で提供される説明は、全てを網羅していると考えられるべきではない。
【００４７】
コントローラ２００は、有線遠隔操作によって制御されてもよいし、無線遠隔操作によって制御されてもよい。無線遠隔操作は、ラジオ周波数（ＲＦ）、赤外線、Ｗｉ−Ｆｉ、Ｂｌｕｅｔｏｏｔｈ（登録商標）、ｚｉｇｂｅｅ、または他の無線通信規格によって接続されてもよい。遠隔操作盤は、ハードキーまたはボタン、タッチスクリーンまたは何らかの組み合わせを備えた独立型遠隔操作盤であってもよい。さらに、無線遠隔操作盤は、コントローラ２００に何らかの通信規格によって接続するアプリを備えたスマートフォンまたはスマートパッドによって定義されてもよい。したがって、コントローラ２００は、いくつかの特徴機能を有していてもよい。
【００４８】
また、コントローラ２００は、バッテリバックアップシステムを有していてもよい。バッテリバックアップは、コントローラ２００に電力を供給する電気接続によって充電されてもよい。バッテリバックアップはまた、停電中も、少なくとも一定期間システムが制御され得ることを提供してもよい。
【００４９】
ここで図１０を参照すると、マットレスからの空気流の通過を可能にするマットレスカバー１７０の分解斜視図が示されている。マットレス上面からの空気の流れを妨げないようにすること、または少なくとも妨げを制限することが望ましい。本マットレスカバー１７０の実施形態は、マットレスの孔の閉塞を制限し、マットレスからの通気機能を提供する空気の流れを継続させる。
【００５０】
カバー１７０は、境界部１７２と、双方向延伸性スペーサ布１７６で形成されるインナーパネル１７４とを含む。スペーサ布１７６は、双方向に延伸された材料で形成されていてもよく、これは、例えば、ベッドに対して水平方向、例えば、頭からつま先まで、及び横方向に一方から他方までなどの二次元で延伸可能であることを意味する。スペーサ布１７６は、詳細図に示すように、上層１７６ａと下層１７６ｂとから形成されてもよい。さらに、布１７６はまた、空気が流れることができる嵩または空気空間を提供する三次元のクロス構造を層ｌ７６ａ、ｌ７６ｂの間に備えて形成されている。第三の次元（図示されているように垂直方向）は、水平方向と比較すると限定された延伸能力を有する。
【００５１】
スペーサ布１７６は、織られた材料、または編んだ材料を含んでもよく、及び／又はポリエチレン、ポリエステル、他のプラスチック、またはこれらのいずれかの組み合わせ、またはその他を含む押出プラスチック材料を含んでもよい。いくつかの実施形態によれば、層ｌ７６ａ、ｌ７６ｂのうちの１つは、ポリエステル、およびスパンデックスで形成されてもよい。いくつかの実施形態では、これらの材料は、同じまたは異なる糸サイズで形成されてもよく、他の実施形態では、１つまたは複数の材料の複数のサイズが利用されてもよい。例えば、例示的な非限定的な実施形態では、層は、１５０デニールのポリエステルと、４０デニールおよび７０デニールのスパンデックスを含んでもよい。層ｌ７６ａ、ｌ７６ｂのもう一方は、１５０デニールのポリエステルと４０デニールのスパンデックスを含んでもよい。層ｌ７６ａ、ｌ７６ｂの間に延びて示された立体クロス構造は、非限定的な例として、３０デニールのポリエステルであってもよい。繊維は、ランダムであってもよいし、繰り返しのパターンであってもよいし、なんらかの組み合わせであってもよい。加えて、スペーサ布１７６は、劣化して厚さ寸法を失うことなく繰り返しの使用を可能にするような弾力性を有する。したがって、この材料は、層Ｌ７６ａ、１７６ｂの間の嵩を維持し、そこを通る十分な空気の流れを可能にする。このスペーサ布１７６の１つの非限定的な例は、中国のＧｌｏｂａｌ  Ｔｅｘｔｉｌｅ  Ａｌｌｉａｎｃｅによって商業的に販売されている。
【００５２】
一つの非限定的な例によれば、スペーサ布は、以下のように構成されてもよい。
【００５３】
【表１】
2021528188.tif 000003
【００５４】
スペーサ布１７６は、身体支持クッションの上面に設けられた穴の閉塞を防止し、それによって通気を容易にする。したがって、通気性のある表面が提供され、使用者がマットレスの上に横たわったときに空気の流れが阻害されることはない。延伸性スペーサ布１７６は、空気の流れの冷却性能、相対湿度の低下、および乾燥耐熱性を向上させる。加えて、スペーサ布１７６は、使用者への圧力を低減し得る。
【００５５】
さらに、スペーサ布１７６は、湿潤剤、ｐＨ緩衝剤および抗菌剤を含むがこれらに限定されない様々な薬剤及び／又は局所的な処理で処理されてもよいし、仕上げられてもよい。さらに、スペーサ布は、編み工程によって形成された、所望の色またはパターンによって、所望の仕上げ外観を有してもよい。
【００５６】
境界部１７２およびインナーパネル１７４は、単一の部分として一緒に形成されてもよい。いくつかの実施形態において、境界部およびインナーパネル１７４は、境界部１７２およびインナーパネル１７４内にマットレスを配置することを可能にするために、ファスナまたはクロージャ、例えばジッパの配置を有してもよい。トップパネル１７６を取り付けるために、第二のファスナまたはクロージャが使用されてもよい。
【００５７】
マットレスカバー１７０の乾燥熱抵抗を小さくすることが望ましい。これにより、マットレス内を通る空気がカバー１７０からより容易に出ることができ、通気システムの機能を向上させ、断熱材のような機能が少なくなる。各ゾーンの乾燥熱抵抗Ｒｃｔは、ＳＩ単位系において次の式で計算される。
【００５８】
【数１】
2021528188.tif 000004
【００５９】
ここで、
Ｒｃｔは、熱抵抗［ｍ2℃／Ｗ］、
Ｔｓｋｉｎは、ゾーン平均温度［℃］、
Ｔａｍｂは、外気温［℃］、
Ｑ／Ａは、面積加重熱流束（ａｒｅａ  ｗｅｉｇｈｔｅｄ  ｈｅａｔ  ｆｌｕｘ）［Ｗ／ｍ2］である。
ここで、Ｒ値は、物体がその単位露出面積あたり、熱の伝導性のある流れにどれだけ抵抗するかを示す指標である。Ｒ値が大きいほど抵抗が大きく、それに応じて物体の断熱特性が優れていることになる。Ｒ値は、断熱材の効果の説明や、定常状態での集合体（壁、屋根、窓、マットレスなど）間の熱の流れを分析する際に使用される。Ｒ値が低いほど材料は放熱性に優れており、逆にＲ値が高いほど材料は断熱材としての機能を発揮する。
【００６０】
【表２】
2021528188.tif 000005
【００６１】
この第一の例では、先行技術カバーが提供され、スペーサ布１７６を使用しない場合とスペーサ布を使用した場合の両方で乾燥熱抵抗ＤＴＲが測定された。結果に示されるように、先行技術カバーにスペーサ布を追加した場合には、乾燥熱抵抗の著しい減少が見られる。
【００６２】
【表３】
2021528188.tif 000006
【００６３】
この第二の例では、本カバー材料は、スペーサ材料を含まないものとスペーサ材料を含むものの両方が提供された。カバーとカバーを比較すると、第二の例のカバーは、第一の例の先行技術バージョンよりも低い乾燥熱抵抗を有する。さらに、第一の例と同様に、スペーサ布１７６の追加は、カバーの乾燥熱抵抗に大きな変化をもたらす。さらに、両方の例において、スペーサ布１７６の厚さの増加は、同様に乾燥熱抵抗を改善する。これは、マットレスの穴の閉塞が減少したことによるものである。
【００６４】
インナーパネル１７４の上には、２つの材料で形成されたトップパネル１７８が配置されている。トップパネル１７８の上部は、いくつかの実施形態において、超高分子量ポリエチレン（ＵＨＭＷＰＥ）で形成されている。トップパネル１７８はまた、任意に耐火性外用剤を有してもよい。耐火性外用剤は、いくつかの実施形態によれば、有機−無機、窒素−リン系の外用剤によって定義されるが、これに限定されない。耐火性剤は、代替的に、例えば、メラミンシアヌレート（ｍｅｌａｍｉｎｅ  ｃａｎｕｒａｔｅ）のカプセル化シェルを使用し、分散のためにアルコールＣｌ１エトキシル化界面活性剤（ａｌｃｏｈｏｌ  Ｃ１１  ｅｔｈｏｘｙｌａｔｅｄ  ｓｕｒｆａｃｔａｎｔ）を使用し、リン酸塩ベースの難燃ポリマを使用することによって作られる、カプセルに包まれた難燃処理（ｅｎｃａｐｓｕｌａｔｅｄ  ｆｉｒｅ  ｒｅｔａｒｄａｎｔ  ｔｒｅａｔｍｅｎｔ）を含んでもよいが、これらに限定されるものではない。
【００６５】
トップパネルの下面には、耐火性（ＦＲ）モダクリル系紡績糸層１７９が編み込まれている。ＦＲ紡績糸層１７９が好ましい理由の１つは、マットレスからの空気の流れの導入により、改善された耐火性が必要とされる点である。ＦＲモダクリル系紡績糸層１７９は、改善された耐火性を提供し、トップパネル１７８の上側部分の下面に編み込まれている。耐火性外用剤は、ＦＲモダクリル系紡績糸層１７９と組み合わせて、さらなる耐火性を提供する。
【００６６】
また、カバー１７０の１つ又はそれ以上の層は、限られた時間の間、改善された清涼感を提供するために、相転移材料を含んでいてもよい。１つ又はそれ以上の層における相転移材料の量は、同じであってもよいし、異なっていてもよい。
【００６７】
いくつかの進歩性がある実施形態が本明細書に記載され、例示されてきたが、当業者は、本明細書に記載された機能を実行し、及び／又は結果を得、及び／又は１つ以上の利点を得るための様々な他の手段及び／又は構造を容易に想到するであろうし、そのような変形及び／又は修正の各々は、本明細書に記載された実施形態の発明の範囲内にあるとみなされる。より一般的には、当業者であれば、本明細書に記載されたすべてのパラメータ、寸法、材料、および構成は例示的なものであること、および実際のパラメータ、寸法、材料、及び／又は構成は、本発明の教示が、使用される／または使用される特定のアプリケーションまたはアプリケーションに依存することを容易に理解するであろう。当業者であれば、本明細書に記載された特定の本発明の実施形態と同等のものが多数存在することを認識するか、または日常的な実験以外の方法で確認することができるであろう。したがって、前記の実施形態は、例示に過ぎず、添付の特許請求の範囲およびそれと同等の範囲内で、進歩性を有する実施形態は、具体的に記載され、請求されたものとは別の方法で実施されてもよいことが理解されるべきである。本開示の進歩性を有する実施形態は、本明細書に記載された個々の特徴、システム、物品、材料、キット、及び／又は方法に向けられている。さらに、そのような特徴、システム、物品、材料、キット、及び／又は方法が相互に矛盾しない場合、２つ以上のそのような特徴、システム、物品、材料、キット、及び／又は方法の任意の組み合わせも、本開示の発明的範囲内に含まれる。
【００６８】
本明細書で定義され、使用されるすべての定義は、辞書の定義、参照により組み込まれた文書の定義、及び／又は定義された用語の通常の意味を支配するものと理解されるべきである。本明細書および特許請求の範囲で使用されるにあたり、１つを示唆する表現は、明確にそうではないと示されない限り、「少なくとも１つ」を意味するものと理解されるべきである。本明細書および特許請求の範囲で使用される「及び／又は」という表現は、そのように結合した要素の「どちらか一方または両方」、すなわち、いくつかの場合には結合的に存在し、他の場合には分離的に存在する要素を意味するものと理解されるべきである。
【００６９】
「及び／又は」で列挙された複数の要素は、同じ方法で解釈されるべきであり、すなわち、そのように結合された要素の「１つまたは複数」である。他の要素は、「及び／又は」句によって具体的に特定された要素以外に、具体的に特定された要素に関連しているか、または関連していないかにかかわらず、任意に存在してもよい。したがって、非限定的な例として、「ａ及び／又はｂ」への参照は、「含む」のようなオープンエンドの言語と一緒に使用される場合、ある実施形態では、ａのみ（任意にｂ以外の要素を含む）を参照することができ、別の実施形態では、ｂのみ（任意にａ以外の要素を含む）を参照することができ、さらに別の実施形態では、ａおよびｂの両方（任意に他の要素を含む）を参照することができる、などが挙げられる。
【００７０】
本明細書および特許請求の範囲で使用されるにあたり、「または」は、上記で定義された「及び／又は」と同じ意味を有すると理解されるべきである。例えば、リスト内の項目を分離する場合、「または」または「及び／又は」は、包括的であると解釈されるべきであり、すなわち、要素の数またはリストのうちの少なくとも１つだけでなく、１つ以上を含むこと、および任意に、追加的な非リスト項目を含むことを意味する。反対に明確に示された用語、例えば「１つのみ」もしくは「ちょうど１つのみ」、または特許請求の範囲で使用される場合には「から成る」のような用語のみが、数または要素のリストの中の正確に１つの要素を含むことを指すことになる。一般に、本明細書で使用される 「又は」という用語は、「どちらか一方」、「そのうちの１つ」、「そのうちの１つのみ」、「ちょうど１つのみ」のような排他性の用語が先行している場合にのみ、排他的な選択肢（すなわち、「一方または他方であるが両方ではない」）を示すものとして解釈されるものとする。特許請求の範囲で使用される「本質的に構成される」は、特許法の分野で使用される通常の意味を有するものとする。
【００７１】
本明細書および特許請求の範囲において使用されるにあたり、１つ以上の要素のリストに関連して「少なくとも１つ」という語句は、要素のリスト内の任意の１つ以上の要素から選択された少なくとも１つの要素を意味するが、必ずしも要素のリスト内に具体的に記載された各要素およびすべての要素の少なくとも１つを含み、要素のリスト内の要素の任意の組み合わせを除外するものではないことを意味すると理解されるべきである。この定義はまた、「少なくとも１つ」という表現が参照する要素のリスト内で具体的に特定された要素以外の要素が、具体的に特定されたそれらの要素に関連しているか、または関連していないかにかかわらず、任意に存在してもよいことを可能にする。したがって、非限定的な例として、「ＡおよびＢの少なくとも１つ」（または、等価的には、「ＡまたはＢの少なくとも１つ」、または、等価的には、「Ａ及び／又はＢの少なくとも１つ」）は、１つの実施形態では、Ｂが存在しない（および、オプションでＢ以外の要素を含む）Ａを、オプションで１つ以上含む、少なくとも１つを指すことができる。別の実施形態では、任意に、Ａが存在しない（および任意に、Ａ以外の要素を含む）少なくとも１つ以上のＢを含む（および任意に、Ａ以外の要素を含む）少なくとも１つ；さらに別の実施形態では、任意に、Ａが存在しない（および任意に、Ｂ以外の要素を含む）少なくとも１つ以上のＢを含む（および任意に、Ｂ以外の要素を含む）少なくとも１つ；などを指すことができる。
【００７２】
また、明確にそうではないと示されない限り、２つ以上のステップまたは行為を含む本明細書で主張される任意の方法において、方法のステップまたは行為の順序は、必ずしも方法のステップまたは行為が記載される順序に限定されないことが理解されるべきである。
【００７３】
特許請求の範囲においても、上記明細書においても同様に、「構成する」、「含む」、「運ぶ」、「持つ」、「包含する」、「関与する」、「保持する」、「構成される」、及びこれらの類似語等のすべての移行句は、オープンエンド、すなわち、含むがこれらに限定されないことを意味するものと理解されるべきである。「から成る」および「本質的にから成る」という移行句のみが、米国特許庁特許審査手続マニュアルに規定されているところの、それぞれ閉じた移行句または半分閉じた移行句であるものとする。
【００７４】
前述の方法および実施形態の説明は、例示を目的として提示されたものである。本発明は、網羅的であることを意図したものではなく、また開示されたステップ及び／又は形態のみに本発明を限定することを意図したものではなく、明らかに、上記の教示に照らして、多くの修正および変形が可能であることは明らかである。本発明およびすべての同等物の範囲は、ここに添付の特許請求の範囲によって定義されることが意図されている。
【図１】
2021528188.tif 000007
【図２】
2021528188.tif 000008
【図３】
2021528188.tif 000009
【図４】
2021528188.tif 000010
【図５】
2021528188.tif 000011
【図６】
2021528188.tif 000012
【図７】
2021528188.tif 000013
【図８】
2021528188.tif 000014
【図９】
2021528188.tif 000015
【図１０】
2021528188.tif 000016
【国際調査報告】
2021528188.tif 000017
2021528188.tif 000018
2021528188.tif 000019
2021528188.tif 000020